(57)【要約】【課題】単純かつコンパクトな構造で送風機能や除雪機能等の追加機能を発揮することができる刈払機アタッチメントの提供。【解決手段】送風アタッチメントでは、送風ファン２０が、ギアヘッド１０を介して刈払機の駆動軸と同期回転する。ケーシング３０，４０が、送風ファン２０を内部に取付けてその外側を覆うスクロールケーシング状をなす。支持体５０が、ギアヘッド１０の基端を露出して、ギアヘッド１０と刈払機の操作杆１との連結を許容する小開口５４ａを形成する。支持体５０は、小開口５４ａの周縁部によりギアヘッド１０または刈払機の操作杆１を係止して、ギアヘッド１０を周方向に相対的に位置決めし、ギアヘッド１０とケーシング３０，４０との相対回転を阻止する。【選択図】図１
2007289040.tif 000002
【特許請求の範囲】
【請求項１】
刈払機のギアヘッドの出力軸に固着され、前記出力軸の回転と同期して回転する回転体と、
前記回転体を内部に取付けて当該回転体の外側を覆う中空形状の中空体からなり、当該中空体の上面側に前記ギアヘッドの基端を露出して、前記ギアヘッドと前記刈払機の駆動軸との連結を許容する小開口を少なくとも形成すると共に、当該小開口の周縁部により前記ギアヘッドまたは前記刈払機の駆動軸部分を係止して、前記ギアヘッドを周方向に相対的に位置決めし、前記ギアヘッドとの相対回転を阻止する筐体と
を備えることを特徴とする刈払機アタッチメント。
【請求項２】
刈払機の駆動軸に着脱自在に連結され、当該刈払機の駆動軸により同期回転される出力軸を有するギアヘッドと、
前記ギアヘッドの出力軸に固着され、前記出力軸の回転と同期して回転する回転体と、
前記回転体を内部に取付けて当該回転体の外側を覆う中空形状の中空体からなり、当該中空体の上面側に前記ギアヘッドの基端を露出して、前記ギアヘッドと前記刈払機の駆動軸との連結を許容する小開口を少なくとも形成すると共に、当該小開口の周縁部により前記ギアヘッドまたは前記刈払機の駆動軸部分を係止して、前記ギアヘッドを周方向に相対的に位置決めし、前記ギアヘッドとの相対回転を阻止する筐体と
を備えることを特徴とする刈払機アタッチメント。
【請求項３】
前記筐体は、前記回転体の回転軸の延長線上において前記ギアヘッドにより支持されて前記回転体の外側を覆う中空形状の中空体からなり、当該中空体の上面側に大開口を形成すると共に、当該中空体の側面側に吐出口を形成したケーシングと、前記ケーシングの大開口に着脱自在に取付けられて、前記ギアヘッドの基端を露出すると共に、前記ギアヘッドの基端と前記刈払機の駆動軸との連結を許容する小開口を円周方向に複数形成する支持体とを含み、
前記支持体の複数の小開口のいずれかを選択して当該小開口から前記ギアヘッドの基端を露出自在とし、当該小開口の周縁部により前記ギアヘッドまたは前記刈払機の駆動軸を係止して、前記ギアヘッドを前記ケーシングに対して相対的に位置決めし、前記ギアヘッドと前記ケーシングとの相対回転を阻止する共に、前記支持体の複数の小開口を選択して当該小開口から前記ギアヘッドを露出することより、前記刈払機の駆動軸に対する前記ケーシングの吹出口の円周方向角度位置を変更調節自在としたことを特徴とする請求項１または２記載の刈払機アタッチメント。
【請求項４】
前記回転体は、遠心ファンからなる送風ファンであり、
前記筐体は、前記送風ファンの全体を覆うスクロールケーシング状の中空体からなり、当該中空体の厚さ方向一側面である上面に前記大開口を吸気口として形成すると共に、前記中空体の側面に送風口としての吐出口を形成し、前記大開口及び吐出口以外の部分を密閉して内部を整風空間としたものであることを特徴とする請求項１乃至３のいずれか１項記載の刈払機アタッチメント。
【請求項５】
前記回転体は、遠心ファンからなる送風ファンであり、
前記ケーシングは、前記送風ファンの全体を覆うスクロールケーシング状の中空体からなり、当該中空体の厚さ方向一側面である上面に前記大開口を吸気口として形成すると共に、前記中空体の側面に送風口としての吐出口を形成して、前記大開口及び吐出口以外の部分を密閉して内部を整風空間とし、
前記支持体は、前記ケーシングの大開口の周縁部に嵌合して掛止自在な掛止部を外周に有すると共に、前記ギアヘッドの基端部の外周より大きな形状及び寸法で前記ギアヘッドの基端部を傾斜状態で外部に露出する小開口を円周方向に一定角度で複数配置形成し、かつ、その中心部に押圧ねじを螺着し、
前記押圧ねじを前記支持体の中心部に螺入して前記ケーシング内部へ突出させると共に、前記押圧ねじの螺入量を増減して前記ケーシング内部への突出量を調節することにより、当該押圧ねじの軸部先端を前記ギアヘッドの上面に当接して押圧し、当該ギアヘッドと前記ケーシングの底面との間で前記送風ファンを回転自在に挟持することを特徴とする請求項３記載の刈払機アタッチメント。
【請求項６】
前記回転体は、複数の羽根を下側に向けて配設した遠心ファン状をなし、当該複数の羽根の回転により除雪自在な除雪回転体であり、
前記筐体は、前記除雪回転体を内部に取付けて当該除雪回転体の上面側及び外周面側を覆うと共に、下面側の全体を開放して前記除雪回転体の下側に配設した複数の羽根の全体を下方に露出する除雪用開口とした中空形状の中空体からなることを特徴とする請求項１乃至３のいずれか１項記載の刈払機アタッチメント。
【発明の詳細な説明】
【技術分野】
【０００１】
本発明は刈払機に装着自在な刈払機アタッチメントに関し、特に、刈払機で刈り取った雑草を送風により飛散除去する清掃アタッチメントや道路の積雪を機械的に除去する除雪アタッチメントとして具体化されるハンディータイプの刈払機アタッチメントに関する。
【背景技術】
【０００２】
従来、道路脇の雑草等を刈払機により除草する場合、除草した雑草等は、別個の送風機により道路と反対側へと飛散させて集積し、収集等している。しかし、一般に、このような送風機は高価である。また、刈払機と送風機とを別個に用意する場合、それらの保管や持ち運びに手間がかかる。よって、刈払機の刈刃の回転駆動機構のみを利用して、送風作業を行えれば好都合である。更に、道路脇等の積雪を除雪する場合、通常、除雪作業車を使用しているが、小規模の除雪作業等において、手軽に利用できる装置があれば便利である。ここで、刈払機を別目的で利用する技術として、特許文献１に開示の技術がある。
【特許文献１】特開２００３−１８０１１７号公報
【０００３】
特許文献１には、刈払機の回転刃（刈刃）を取外して、その代わりに減速手段を有する構造の作業機械を装着し、畑耕作や除雪を行える携帯用作業機械が開示されている。この携帯用作業機械は、操作柄杆の後端部に駆動用エンジンを備え、当該操作柄杆の先端部に前記駆動用エンジンを駆動源とする第１駆動軸を設けている。当該操作管の中途部適所には、操作ハンドル及び肩掛けベルトが取着されている。また、前記携帯用作業機械は、内部に異軸減速手段を備えた作業機械本体の上部に、垂直方向に駆動連結手段を介して、刈払機の第１駆動軸に連結される第２駆動軸を配設している。更に、当該作業機械本体の左右又は前後方向には、第２駆動軸から減速伝動される作業軸が配設されている。更にまた、この作業軸には回転作業手段が装着されている。この携帯用作業機械は、当該回転作業手段を使用して、簡単な畑耕作や除雪を行うことができる。
【発明の開示】
【発明が解決しようとする課題】
【０００４】
しかし、特許文献１に記載の携帯用作業機械は、刈払機の回転刃と取替えて除雪等の作業に使用できるものの、作業機械自体の構造が複雑であり、また、刈払機に対する作業機械の取付構造も複雑である。具体的には、特許文献１に記載の技術では、作業機械本体の内部に減速伝導手段を内装し、また、作業機械本体の左右から延設した取付アームと挟持部材とにより刈払機の操作柄桿の中途部を挟み込むようにして、作業機械本体を刈払機に取付けている。そのため、装置全体のコストが上昇し、刈払機に対する取付及び取外しに相当の手間を要する可能性がある。
【０００５】
そこで、本発明は、単純かつコンパクトな構造で送風機能や除雪機能等の追加機能を発揮することができ、製造コストを低減すると共に、その保管や持ち運びに手間を要せず、また、刈払機への取付及び取外しの交換作業も簡単かつ迅速に行えるようにして作業性を向上することができる刈払機アタッチメントの提供を課題とする。
【課題を解決するための手段】
【０００６】
請求項１に係る刈払機アタッチメントは、回転体と筐体とを備える。回転体は、刈払機のギアヘッドの出力軸に固着され、前記出力軸の回転と同期して回転する。筐体は、前記回転体を内部に取付けて当該回転体の外側を覆う中空形状の中空体からなり、当該中空体の上面側に前記ギアヘッドの基端を露出して、前記ギアヘッドと前記刈払機の駆動軸との連結を許容する小開口を少なくとも形成する。また、筐体は、当該小開口の周縁部により前記ギアヘッドまたは前記刈払機の駆動軸部分を係止して、前記ギアヘッドを周方向に相対的に位置決めし、前記ギアヘッドとの相対回転を阻止する。
【０００７】
請求項２に係る刈払機アタッチメントは、ギアヘッドと、回転体と、筐体とを備える。ギアヘッドは、刈払機の駆動軸に着脱自在に連結され、当該刈払機の駆動軸により同期回転される出力軸を有する。回転体は、前記ギアヘッドの出力軸に固着され、前記出力軸の回転と同期して回転する。筐体は、前記回転体を内部に取付けて当該回転体の外側を覆う中空形状の中空体からなり、当該中空体の上面側に前記ギアヘッドの基端を露出して、前記ギアヘッドと前記刈払機の駆動軸との連結を許容する小開口を少なくとも形成する。また、筐体は、当該小開口の周縁部により前記ギアヘッドまたは前記刈払機の駆動軸部分を係止して、前記ギアヘッドを周方向に相対的に位置決めし、前記ギアヘッドとの相対回転を阻止する。
【０００８】
請求項３に係る刈払機アタッチメントは、請求項１または２の構成において、前記筐体が、ケーシングと支持体とを含む。ケーシングは、前記回転体の回転軸の延長線上において前記ギアヘッドにより支持されて前記回転体の外側を覆う中空形状の中空体からなり、当該中空体の上面側に大開口を形成すると共に、当該中空体の側面側に吐出口を形成する。また、支持体は、前記ケーシングの大開口に着脱自在に取付けられて、前記ギアヘッドの基端を露出すると共に、前記ギアヘッドの基端と前記刈払機の駆動軸との連結を許容する小開口を円周方向に複数形成する。刈払機アタッチメントは、前記支持体の複数の小開口のいずれかを選択して当該小開口から前記ギアヘッドの基端を露出自在とし、当該小開口の周縁部により前記ギアヘッドまたは前記刈払機の駆動軸を係止して、前記ギアヘッドを前記ケーシングに対して相対的に位置決めし、前記ギアヘッドと前記ケーシングとの相対回転を阻止する。また、刈払機アタッチメントは、前記支持体の複数の小開口を選択して当該小開口から前記ギアヘッドを露出することより、前記刈払機の駆動軸に対する前記ケーシングの吹出口の円周方向角度位置を変更調節自在とする。
【０００９】
請求項４に係る刈払機アタッチメントは、請求項１乃至３のいずれかの構成において、前記回転体が、遠心ファンからなる送風ファンである。また、前記筐体は、前記送風ファンの全体を覆うスクロールケーシング状の中空体からなり、当該中空体の厚さ方向一側面である上面に前記大開口を吸気口として形成すると共に、前記中空体の側面に送風口としての吐出口を形成し、前記大開口及び吐出口以外の部分を密閉して内部を整風空間としている。
【００１０】
請求項５に係る刈払機アタッチメントは、請求項３の構成において、前記回転体が、遠心ファンからなる送風ファンである。また、前記ケーシングは、前記送風ファンの全体を覆うスクロールケーシング状の中空体からなり、当該中空体の厚さ方向一側面である上面に前記大開口を吸気口として形成すると共に、前記中空体の側面に送風口としての吐出口を形成して、前記大開口及び吐出口以外の部分を密閉して内部を整風空間としている。更に、前記支持体は、前記ケーシングの大開口の周縁部に嵌合して掛止自在な掛止部を外周に有すると共に、前記ギアヘッドの基端部の外周より大きな形状及び寸法で前記ギアヘッドの基端部を傾斜状態で外部に露出する小開口を円周方向に一定角度で複数配置形成し、かつ、その中心部に押圧ねじを螺着している。そして、刈払機アタッチメントは、前記押圧ねじを前記支持体の中心部に螺入して前記ケーシング内部へ突出させると共に、前記押圧ねじの螺入量を増減して前記ケーシング内部への突出量を調節することにより、当該押圧ねじの軸部先端を前記ギアヘッドの上面に当接して押圧し、当該ギアヘッドと前記ケーシングの底面との間で前記送風ファンを回転自在に挟持する。
【００１１】
請求項６に係る刈払機アタッチメントは、請求項１乃至３のいずれかの構成において、記回転体が、複数の羽根を下側に向けて配設した遠心ファン状をなし、当該複数の羽根の回転により除雪自在な除雪回転体である。また、前記筐体は、前記除雪回転体を内部に取付けて当該除雪回転体の上面側及び外周面側を覆うと共に、下面側の全体を開放して前記除雪回転体の下側に配設した複数の羽根の全体を下方に露出する除雪用開口とした中空形状の中空体からなる。
【発明の効果】
【００１２】
本発明に係る刈払機アタッチメントは、単純かつコンパクトな構造で送風機能や除雪機能等の追加機能を発揮することができ、製造コストを低減すると共に、その保管や持ち運びに手間を要せず、また、刈払機への取付及び取外しの交換作業も簡単かつ迅速に行えるようにして作業性を向上することができる。
【発明を実施するための最良の形態】
【００１３】
以下、本発明を実施するための最良の形態（以下、実施の形態という）を説明する。なお、各実施の形態を通じ、同一の部材、要素または部分には同一の符号を付して、その説明を省略する。
【００１４】
実施の形態１
図１は本発明の実施の形態１に係る刈払機アタッチメントとしての送風アタッチメントの全体を示す斜視図である。図２は本発明の実施の形態１に係る送風アタッチメントのケーシングの上部ケース及び支持体を示す分解斜視図である。図３は本発明の実施の形態１に係る送風アタッチメントのケーシングの下部ケース並びに回転体及びギアヘッドを示す分解斜視図である。図４は本発明の実施の形態１に係る送風アタッチメントを示す平面図である。図５は本発明の実施の形態１に係る送風アタッチメントを示す断面図である。図６は本発明の実施の形態１に係る送風アタッチメントの上部ケースを取り外してケーシング内部を示す平面図である。実施の形態１に係る刈払機アタッチメントは、肩掛け式の刈払機の回転刃（刈刃）を取り外し、その回転刃の代わりに刈払機のパイプ状の操作杆１の先端に装着されるものである。なお、本発明で使用する刈払機としては主に肩掛け式刈払機を想定しており、かかる刈払機は、一般的には、長尺円筒状（円管状）の操作杆１の内部に駆動軸２を軸方向に延びるよう内装し、操作杆１の基端側に設けた回転駆動源（モータ）により駆動軸２を回転して、操作杆１の先端側に固着したギアヘッド内の伝導軸により出力軸を回転し、出力軸に固着した回転刃を回転するものである。実施の形態１に係る刈払機アタッチメントは、かかる刈払機のギアヘッド及び回転刃と交換自在とされている。詳細には、実施の形態１の刈払機アタッチメントは、図１〜図３に示すように、送風アタッチメントに具体化され、ギアヘッド１０と、回転体としての送風ファン２０と、筐体を構成するケーシング３０，４０と、同じく筐体を構成する支持体５０とを備えている。
【００１５】
より詳細には、ギアヘッド１０は、刈払機のギアヘッドと同様の構成であり、図４及び図５に示すように、刈払機の操作杆１の先端に着脱自在に固着される円筒状の上側ケース部１１を有する。上側ケース部１１の内部には伝導軸１２が軸心に沿って延設され、伝導軸１２の先端（下端）には駆動傘歯車１３が固着されている。一方、上側ケース部１１の先端部外周には締結リング１４が外嵌して装着され、締結リング１４を締めこんだり緩めたりすることにより、刈払機の操作杆１の先端部をギアヘッド１０の上側ケース部１１に装着したり離脱したりするようになっている。また、ギアヘッド１０の上側ケース部１１の先端には、所定の傾斜角度で釣鐘状の下側ケース部１５が一体形成されている。下側ケース部１５の内部には出力軸１６が軸心に沿って延設され、出力軸１６の基端（上端）には従動傘歯車１７が固着されている。駆動傘歯車１３と従動傘歯車１７とは互いに噛合している。これにより、刈払機の駆動軸２の回転が、伝導軸１２を介して駆動傘歯車１３に伝導され、駆動傘歯車１３の回転が、従動傘歯車１７を介して出力軸１６に伝導されて、出力軸１６が駆動軸２と同期回転するようになっている。なお、下側ケース１５の外周面には注油口１８が一体形成されている。更に、ギアヘッド１０の下側ケース１５の下端には、下側ケース１５の下端と略同一外径のリング状をなす軸受１９が、同軸状となるよう嵌合して装着されている。出力軸１６の先端部（下端部）は、軸受１９内の中心部を通過して軸受１９の下方に所定量突出している。このように、ギアヘッド１０は、刈払機の駆動軸２に着脱自在に連結され、駆動軸２により駆動傘歯車１３を介して回転駆動される伝導軸１２と、当該伝導軸１２により従動傘歯車１５を介して従動回転されると共に伝導軸１２に対して所定角度で傾斜する出力軸１６とを内装し、当該刈払機の駆動軸２により出力軸１６を同期回転するものである。
【００１６】
送風ファン２０は、図３に示すように、円盤状の基部２１の厚さ方向一側面（上面）において、複数（図示の例では１０枚）の羽根２２を円周方向に等間隔（３６度間隔）で配設した遠心ファン状のものである。送風ファン２０の厚さ方向一側面の中心部には、円形凹部状の嵌合凹部２３が形成されると共に、同嵌合凹部２３の中心には小径の円形の挿通孔２４が貫通形成されている。そして、送風ファン２０の嵌合凹部２３内に、前記軸受１９の下端を嵌合して装着し、ギアヘッド１０の出力軸１６の突出部分を、送風ファン２０の挿通孔２４に挿通して送風ファン２０の厚さ方向他側面に突出させ、この状態で、ギアヘッド１０の出力軸１６の先端部にナット２５を螺合することにより、送風ファン２０を軸受１９を介してギアヘッド１０に取付け、ギアヘッド１０の出力軸１６の回転に同期して送風ファン２０を回転するようになっている。一方、送風ファン２０の厚さ方向他側面（下面）の中心部には、前記嵌合凹部２３に対応する直径の円形をなすリング突部状の支持突部２６が若干下方に突出して一体形成され、支持突部２６の内周面に円形の嵌合凹部２６ａが形成されている。このように、送風ファン２０は、ギアヘッド１０の出力軸１６に同軸状に固着され、回転軸を中心として、出力軸１６の回転と同期して回転するものである。
【００１７】
ケーシングは、上側ケーシング３０及び下側ケーシング４０により構成されるスクロールケーシング状をなす。上側ケーシング３０は、図２に示すように、スクロールケーシングを上下に２分割した上側部分に相当し、円盤状の上壁３１の中心部に大径の円形をなす大開口３１ａを形成している。また、上壁３１の外周縁の全長に連続して周壁３２が垂下するよう一体形成されている。周壁３２の下端外周面には、所定間隔でボス部３３が一体形成され、ボス部３３には、ねじ挿通用の挿通孔３３ａが厚さ方向に貫通形成されている。更に、上壁３１の大開口３１ａの周縁には、短円筒状の内側立上部３４が垂立して一体形成されると共に、上壁３１の放射方向において内側立上部３４の所定距離外側には、短円筒状の外側立上部３５が垂立して一体形成されている。更に、内側立上部３４と外側立上部３５との間の上壁３１の上面部分（リング状部３１ｂ）には、円周方向に所定間隔で複数のブロック状をなす掛止突部３６が一体形成されている。各掛止突部３６には、上壁３１の大開口３１ａの円周方向（時計回り方向）にその途中まで（所定角度分）延びるよう、スリット状の掛止溝３６ａが形成されている。上側ケーシング３０の側面には吐出口を形成する半円筒状の上側吐出筒部３７が一体形成されている。
【００１８】
下側ケーシング４０は、図３に示すように、スクロールケーシングを上下に２分割した下側部分に相当し、段付円盤状の底壁４１の中心部に所定外径の略円形状をなす段差突部４２を一体形成している。段差突部４２の中心には、前記送風ファン２０の嵌合凹部２３に対応する直径の円形をなすリング突部状の支持突部４３が若干上方に突出して一体形成され、支持突部４３の内周面に円形の嵌合凹部４３ａが形成されている。また、底壁４１の外周縁の全長に連続して周壁４４が垂立するよう一体形成されている。周壁４４の上端外周面には、前記上側ケーシング３０のボス部３３と整合する位置（同一角度位置）にボス部４５が一体形成され、ボス部４５には、ねじ孔４５ａが厚さ方向に形成されている。下側ケーシング４０の側面には吐出口を形成する半円筒状の下側吐出筒部４７が一体形成されている。ここで、図６に示すように、底壁４１の段差突部４２の外周面と周壁４４の内周面との間には、前記下側吐出筒部４７に連通する円周状の送風溝４８が形成されている。送風溝４８は、下側吐出筒部４７に向かって反時計回り方向に徐々に拡大する渦巻状をなしている。段差突部４２の支持突部４３の嵌合凹部４３ａ内には、図５に示すように、同一外径の軸受４９の下半部が密嵌して収容保持されている。そして、羽根２２側にギアヘッド１０を取付けた送風ファン２０の支持突部２６を、下側ケーシング４０の支持突部４３に収容保持した軸受４９の上半部に密嵌して収容保持することにより、羽根２２を上側に向けた状態で送風ファン２０を下側ケーシング４０内に位置決めして保持することができる。この状態で、送風ファン２０は、上側の軸受１９と下側の軸受４９との間で円滑に回転自在となる。
【００１９】
上側ケーシング３０及び下側ケーシング４０を互いに接合してそれぞれのボス部３３及びボス部４５を互いに整合させ、ねじＳの軸部をボス部３３の挿通孔３３ａに挿通してボス部４５のねじ孔４５ａに螺入することにより、実施の形態１のケーシングが構成される。このケーシング３０，４０は、内部に送風ファン２０を収容し、送風ファン２０の全体（上面側、底面側、外周面側）を覆うスクロールケーシング状の中空体からなり、当該中空体の厚さ方向一側面である上面に前記大開口３１ａを吸気口として形成している。また、ケーシング３０，４０は、上側吐出筒部３７及び下側吐出筒部４７を接合することにより円筒状の吐出筒部を形成し、当該吐出筒部３７，４７の先端の円形状または楕円形状の開口により、当該中空体の側面から突出する送風口としての吐出口ＯＰを形成している。そして、ケーシング３０，４０は、大開口３１ａ及び吐出口ＯＰ以外の部分を密閉して、その内部に前記送風ファン２０からの送風を整流するための整風空間を形成している。
【００２０】
支持体５０は、図１及び図５に示すように、上側ケーシング３０の内側立上部３４と外側立上部３５との間のリング状部３１ｂに対応するリング板状をなすリング部５１を有している。リング部５１の内周縁により円形の大開口５１ａが形成され、上側ケーシング３０の大開口３１ａと略同一直径で対向している。また、リング部５１の外周縁の全長に連続して周壁５２が垂下するよう一体形成されている。短円筒状となる周壁５２の外径（外周面の直径）は、前記外側立上部３５の内径（内周面の直径）と同一とされ、また、周壁５２の幅は、外側立上部３５の上端から前記掛止突部３６の上端までの幅と同一とされている。これにより、支持体５０の周壁５２の外周面を外側立上部３５の内周面に密接させ、周壁５２の下端を掛止突部３６の上端に当接させた状態で、支持体５０を上側ケーシング３０のリング状部３１ｂに対向して外側立上部３５内に着脱自在に密嵌保持するようになっている。更に、支持体５０のリング部５１の下面には掛止部としての掛止片５３が一体形成され、上側ケーシング部３０の掛止突部３６の掛止溝３６ａ内にスライドして着脱自在に嵌入掛止されるようになっている。支持体５０の掛止片５３は、上側ケーシング部３０の掛止突部３６と同一数が当該掛止突部３６の配置角度間隔と同一角度間隔で配置形成され、それぞれが上側ケーシング部３０の掛止突部３６と整合するようになっている。リング部５１の内側の大開口５１ａには、複数の帯板状の区画部５４が、その中心からリング部５１の内周縁に向かって放射状に延びるよう一帯形成されている。区画部５４は、リング部５１の円周方向に一定角度間隔（６０度間隔）で６本形成され、リング部５１の大開口５１ａを６個の扇形状の小開口５４ａに区画形成している。６本の区画部５４の中心には小径のねじ孔５４ｂが形成されると共に、区画部５４の中心部の下面には小径円筒状のボス部５５が一体的に固着されている。ボス部５５には、区画部５４のねじ孔５４ｂと連通して同軸状に延びる同一径及び同一ねじピッチのねじ孔５５ａが形成されている。区画部５４のねじ孔５４ｂ及びボス部５５のねじ孔５５ａには、押さえねじとして押さえボルト５６の軸部が螺入され、その螺入量を調節することによりボス部５５の下端から下方への突出量を調節自在となっている。なお、区画部５４のねじ孔５４ｂを単なる挿通孔として、押さえボルト５６の軸部を区画部５４の挿通孔に挿通して、ボス部５５のねじ孔５５ａにのみ螺入するようにしてもよい。
【００２１】
そして、支持体５０の周壁５２を上側ケーシング３０のリング状部３１ｂに装着し、時計回り方向に回転することにより、支持体５０の掛止片５３が上側ケーシング３０の掛止突部３６の掛止溝３６ａ内にスライドして嵌入し、掛止突部３６により掛止される。これにより、支持体５０が上側ケーシング３０に対して上下方向への離脱不能に装着されるようになっている。また、この装着状態から、支持体５０を逆方向（反時計回り方向）に回転することにより、掛止片５３を掛止突部３６の掛止溝３６ａから離脱してその掛止状態を解除し、支持体５０を上側ケーシング３０から取外せるようになっている。なお、上側ケーシング３０の掛止突部３６の掛止溝３６ａは、図示の例のように、支持体５０の掛止片５３の時計回り方向の進入を許容するよう形成する以外に、これとは逆に、掛止片５３の反時計回り方向の進入を許容するよう形成してもよい。この場合、支持体５０の周壁５２を上側ケーシング３０のリング状部３１ｂに装着し、反時計回り方向に回転することにより、支持体５０の掛止片５３が上側ケーシング３０の掛止突部３６の掛止溝３６ａ内にスライドして嵌入し、掛止突部３６により掛止される。このように、支持体５０は、ケーシング３０，４０の大開口３１ａの周縁部に配置した掛止突部３６に嵌合して掛止自在な掛止部としての掛止片５３を外周に有する略円形の外形を有する。また、支持体５０は、ギアヘッド１０の上側ケース部１１の外周より大きな形状及び寸法でギアヘッド１０の上側ケース部１１を傾斜状態で外部に露出する小開口５４ａを円周方向に一定角度間隔（６０度間隔）で複数配置形成し、かつ、その中心部に押圧ねじとしての押圧ボルト５６を螺着したものである。
【００２２】
実施の形態１に係る送風アタッチメントを使用するには、まず、上側ケーシング３０及び下側ケーシングの分解状態で、軸受４９の下半部を下側ケーシング４０の嵌合凹部４３ａ内に嵌合して保持し、送風ファン２０の羽根２２を上側に向けた状態で、送風ファン２０の下面側の支持突部２６を下側ケーシングの段差突部４２の中央に保持した軸受４９の上半部に嵌合して保持する。そして、上側ケーシング３０を下側ケーシング４０に組み付けて、それぞれのボス部３３及びボス部４５を互いに整合させ、ねじＳの軸部をボス部３３の挿通孔３３ａに挿通してボス部４５のねじ孔４５ａに螺入し、上側ケーシング３０及び下側ケーシング４０を互いに接合固着してスクロールケーシングを構成する。この状態で、ケーシング３０，４０の内部には、送風ファン２０が所定位置に配置され、ケーシング３０，４０により送風ファン２０の底面側、外周面側が覆われて整風空間が形成されると共に、送風ファン２０の上面側は、その大部分が上側ケーシング３０の大開口３１ａにより開放され、同大開口３１ａにより吸気口が形成される。また、この状態で、送風ファン２０の上面側に取付けたギアヘッド１０は、その全体が上側ケーシング３０の大開口３１ａから露出すると共に、上側ケース部１１の基端部（上端部）が大開口３１ａの周縁付近に位置している。次に、この状態から、上側ケーシング３０のリング状部３１ｂに支持体５０を嵌合し、時計回り方向に回転して、支持体５０の掛止片５３を上側ケーシング３０の掛止突部３６に掛止する。これにより、支持体５０がケーシング３０，４０に対して上下方向への離脱不能に固定保持される。このとき、支持体５０の複数（６個）の小開口５４ａのうちの所望の小開口５４ａから、ギアヘッド１０の上側ケース部１１の基端部を露出及び突出させる。そして、支持体５０に押さえボルト５６を螺入して、その先端（下端）によりギアヘッド１０の下側ケース部１５の上面を下方に押圧する。すると、送風ファン２０が、ギアヘッド１０を介して下側ケース４０の軸受４９に向かって押圧され、支持体５０と下側ケーシング４０（ケーシングの底面）との間で送風ファン２０が挟示される形で支持される。そして、この状態で、ギアヘッド１０の上側ケース部１１に刈払機の操作杆１の先端部を装着して締結リング１４により固定すると、刈払機の駆動軸２がギアヘッド１１の伝導軸１２に駆動連結される。
【００２３】
このようにして刈払機の操作杆１の先端に回転刃（刈刃）の代わりに装着した送風アタッチメントは、使用者（作業者）が刈払機の操作杆１（及び操作杆１のハンドル）を把持して操作することにより、送風ファン２０からの送風による除草飛散作業等を行うことができる。このとき、操作杆１の先端に装着した送風アタッチメントでは、ケーシング３０，４０が、押さえボルト５６を介して、操作杆１の先端のギアヘッド１０に吊下支持される形となる。しかし、このとき、押さえボルト５６の支持体５０から下方への突出量を調節自在であるため、当該調節量を適宜に設定することにより、ギアヘッド１０の下端に取付けた送風ファン２０を、押さえボルト５６の下端と下側ケース４０上の軸受４９との間で確実に挟持することができる。即ち、押圧ボルト５６を支持体５０の中心部に螺入してケーシング３０，４０内部へ突出させると共に、押圧ボルト５６の螺入量を増減してケーシング３０，４０内部への突出量を調節することにより、当該押圧ボルト５６の軸部先端をギアヘッド１０の上面に当接して押圧し、当該ギアヘッド１０の下端（送風ファン２０の上端）の軸受１９とケーシング３０，４０の底面の軸受４９との間で、送風ファン２０を密接状態で、かつ、回転自在に挟持する。したがって、送風ファン２０の回転時に送風ファン２０がガタツキ等を生じることはなく、送風ファン２０を円滑に回転することができる。即ち、この状態から、刈払機の原動機を駆動して駆動軸２を回転すると、ギアヘッド１０の上側ケース部１１内の伝導軸１２が同期回転して駆動傘歯車１３を回転し、駆動傘歯車１３が下側ケース部１５内の従動傘歯車１７を回転して出力軸１６を同期回転する。これにより、出力軸１６に連結した送風ファン２０が同期回転し、ケーシング３０，４０上面側にある支持体５０の大開口５１ａ（正確には、６個の小開口５４ｂ）から上側ケーシング３０の大開口３１ａを介して、ケーシング３０，４０外部の空気を内部に吸入し、ケーシング３０，４０内で所定圧力の空気流を発生する。そして、ケーシング３０，４０が、同空気流を前記送風溝４８に沿って整流し、吐出筒部３７，４７の吐出口ＯＰから吐出して送風する。
【００２４】
このように、実施の形態１の送風アタッチメントは、ケーシング３０，４０及び支持体５０により筐体を構成し、使用時には、送風ファン２０の回転軸の延長線上においてギアヘッド１０の下側ケース部１５の上面により筐体を吊下支持する。また、筐体は、送風ファン２０を内部に取付けて当該送風ファン２０の外側を覆う中空形状（スクロールケーシング形状）の中空体からなり、当該中空体の上面側にギアヘッド１０の上側ケース部１１の基端を露出及び突出させると共に、ギアヘッド１０の上側ケース部１１の基端と刈払機の操作杆１との連結及びギアヘッド１０の伝導軸１２と刈払機の駆動軸２との連結を許容する小開口５４ｂを少なくとも形成している。そして、筐体は、当該小開口５４ｂの周縁部によりギアヘッド１０の上側ケース部１１の外周面または刈払機の駆動軸部分（駆動軸２を内装する操作杆１）の外周面を係止して、ギアヘッド１０をケーシング３０，４０に対して相対的に位置決めし、ギアヘッド１０とケーシング３０，４０との相対回転を阻止する。これにより、回転ファン２０の回転時に、その回転力による反作用によって、ケーシング３０，４０がギアヘッド１０及び刈払機の操作杆１に対して回転する事態を確実に阻止することができる。また、実施の形態１では、筐体を構成する支持体５０が、かかる小開口５４ｂを円周方向に複数形成しているため、支持体５０の複数の小開口５４ｂのいずれかを選択して当該小開口５４ｂからギアヘッド１０の上側ケース部１１の基端が露出自在となる。したがって、支持体５０の複数の小開口５４ｂのいずれかを選択して当該小開口５４ｂからギアヘッド１０の上側ケース部１１の基端を露出及び突出させ、当該上側ケース部１１に刈払機の操作杆１１を連結することにより、当該選択した支持体５０の小開口５４ｂの周縁部により、ギアヘッド１０の上側ケース部１１の外周面または刈払機の操作杆１の外周面を係止して、ギアヘッド１０をケーシング３０，４０に対して相対的に位置決めし、ギアヘッド１０とケーシング３０，４０との相対回転を阻止することができる。このとき、支持体５０の複数の小開口５４ｂを選択して当該小開口５４ｂからギアヘッド１０の上側ケース部１１の基端を露出及び突出することより、刈払機の操作杆１に対するケーシング３０，４０の吐出口ＯＰの円周方向角度位置を変更調節自在となる。例えば、図１の実線で示すように、ケーシング３０，４０の吐出筒部３７，４７から最も離れた位置の支持体５０の小開口５４ｂにギアヘッド１０の上側ケース部１１を挿通した状態で、支持体５０をケーシング３０，４０のリング状部３１ａに装着することにより、刈払機の操作杆１をケーシング３０，４０の吐出筒部３７，４７から最も離れた位置として、送風アタッチメントによる送風作業を行うことができる。また、図１の仮想線（一点差線）で示すように、図１の実線位置の場合よりケーシング３０，４０の吐出筒部３７，４７側となる位置の支持体５０の小開口５４ｂにギアヘッド１０の上側ケース部１１を挿通した状態で、支持体５０をケーシング３０，４０のリング状部３１ａに装着することにより、上記の場合より刈払機の操作杆１に対するケーシング３０，４０の吐出筒部３７，４７の角度位置を変更した状態で、送風アタッチメントによる送風作業を行うことができる。これにより、作業場所の障害物等の状況に応じて、操作杆１に対する送風アタッチメントの吐出口ＯＰの角度位置を任意に複数段階で変更することができ、最適な条件で送風作業（送風による除草後の雑草等の除去作業）を行うことができる。
【００２５】
ここで、実施の形態１に係る刈払機アタッチメントでは、上記のように、ギアヘッド１０または刈払機の操作杆１を支持体５０の小開口５４ａ周縁により係止して位置決めし、それらが相対回転しないようにしている。しかし、本実施の形態では、図１に示すように、ギアヘッド１０を支持体５０の所望の位置の小開口５４ａから突出させて操作杆１をギアヘッド１０に取付けた後、操作杆１をケーシング３０，４０に対して確実に固定するよう、操作杆１への着脱自在な固定手段を設けることが好ましい。具体的には、支持体５０のリング部５１の上面において、少なくとも操作杆１の挿入・取付位置の小開口５４ａに対向する部位（扇状の小開口５４ａの円弧両端の位置）には、一対の保持部５７が円周方向に所定間隔を置いて固定されている。また、一対の保持部５７の一方にはゴムベルト等からなる帯状弾性体の一端が固着されると共に、他方には帯状弾性体の他端がフックの掛止具等により着脱自在とされている。これにより、支持体５０の所望の小開口５４ａから操作杆１を突出させたときに、帯状弾性体を一方の保持部５７から他方の保持部５７へと掛け渡して装着することにより、操作杆１の外周面を帯状弾性体により弾性的に保持して操作杆１を固定することができ、回転ファン２０の回転時の振動等による操作杆１やギアヘッド等のガタツキ等を防止することができる。なお、かかる固定手段は、図示の例に限定するものではなく、操作杆１をケーシング３０，４０や支持体５０等に着脱自在に固定することができる限りにおいて、任意の構成を採用することができる。例えば、左右一対のブラケット状部材の基端を支持体の所定位置（例えば、保持部５７と同様の位置）に固定し、他端を操作杆１に着脱自在として、ブラケット状部材を介して操作杆１を固定するようにしてもよい。或いは、操作杆１が突出する支持体５０の小開口５４ａと直径方向に反対側の位置（最離間位置）のリング部５１に一対のブラケット状部材の基端を固定し、他端を操作杆１に着脱自在として、離間した位置から操作杆１を支持することにより、より安定した支持が可能となる。また、実施の形態１では、支持体５０を上側ケーシング３０のリング状部５１ｂに嵌合して所定方向（掛止突部３６の掛止溝３６ａの形成方向）に回転し、掛止片５３を上側ケーシング３０の掛止突部３６の掛止溝３６ａ内に挿着してその奥端に当接させることにより、支持体５０のそれ以上の回転を阻止すると共に、上方への離脱を阻止して位置決め及び固定している。よって、掛止突部３６の掛止溝３６ａの形成方向は、送風ファン２０の回転方向と反対方向とすることが好ましく、こうすれば、送風ファン２０の回転に伴う反作用力（操作杆１から支持体５０に伝達される力）の方向が、掛止突部３６の掛止溝３６ａの形成方向と同一となり、送風ファン２０の回転が掛止片５３を掛止突部３６の掛止溝３６ａ内に掛止させる方向に働くため、送風ファン２０の回転によって支持体５０の掛止が緩む不具合を確実に防止できる。一方、実施の形態１では、支持体５０のいずれかの小開口５４ｂを選択して当該小開口５４ｂからギアヘッド１０（上側ケース部１１の基端）を露出及び突出することより、刈払機の操作杆１に対するケーシング３０，４０の吹出口の円周方向角度位置を変更調節自在としている。しかし、支持体５０の下面に形成した掛止片５３を掛止するケーシング３０の掛止部３６（掛止部３６の角度位置）を選択することにより、操作杆１に対するケーシング３０，４０の吐出口ＯＰの円周方向角度位置を変更調節することができる。よって、ギアヘッド１０を露出・突出する小開口３４ａを支持体５０の所定角度位置に一つのみ形成し、支持体５０の下面に形成した掛止片５３を掛止するケーシング４０の掛止部３６を選択することにより、刈払機の操作杆１に対するケーシング３０，４０の吹出口の円周方向角度位置を変更調節自在とすることができる。例えば、図１に示す状態（支持体５０の特定の小開口５４ａからギアヘッド１０及び操作杆１を突出した状態）から、支持体５０の掛止変５３をケーシング３０の掛止突部３６から取外し、時計回り方向または反時計回り方向に前記掛止片５３及び掛止突部３６の形成角度間隔の一単位だけ回転して、掛止片５３をその位置の掛止部３６に掛止することにより、上記と同様に、操作杆１に対するケーシング３０，４０の吐出口ＯＰの円周方向角度位置を図１の実線位置の右側または左側の位置（仮想線の位置）へと変更調節することができる。
【００２６】
実施の形態２
図７は本発明の実施の形態２に係る刈払機アタッチメントとしての除雪アタッチメントの全体を示す底面図である。図８は本発明の実施の形態２に係る除雪アタッチメントを示す断面図である。実施の形態２に係る刈払機アタッチメントは、実施の形態１と同様、肩掛け式の刈払機の回転刃（刈刃）を取り外し、その回転刃の代わりに刈払機のパイプ状の操作杆１の先端に装着されるものであり、かかる刈払機のギアヘッド及び回転刃と交換自在とされている。詳細には、実施の形態２に係る刈払機アタッチメントは、図７〜図８に示すように、除雪アタッチメントに具体化され、ギアヘッド１０と、回転体としての除雪回転体１２０と、筐体を構成するケーシング１３０と、同じく筐体を構成する支持体５０とを備えている。
【００２７】
より詳細には、除雪回転体１２０は、円盤状の基部１２１の厚さ方向一側面（上面）において、複数（図示の例では５枚）の羽根１２２を円周方向に等間隔（７２度間隔）で配設した遠心ファン状のものである。各羽根１２２は、回転方向に若干湾曲して延びる湾曲板状をなし、除雪効率を向上している。除雪回転体１２０の厚さ方向一側面の中心部には、リング突部状の支持突部１２３が若干上方に突出して一体形成され、支持突部１２３の内周面に円形凹部状の嵌合凹部１２３ａが形成されている。また、除雪回転体１２０の嵌合凹部１２３ａの中心には小径の円形の挿通孔（図示略）が貫通形成されている。そして、除雪回転体１２０の嵌合凹部１２３ａ内に、前記軸受１９の下端を嵌合して装着し、ギアヘッド１０の出力軸１６の突出部分を、除雪回転体１２０の挿通孔に挿通して除雪回転体１２０の厚さ方向他側面に突出させ、この状態で、ギアヘッド１０の出力軸１６の先端部にナット２５を螺合することにより、除雪回転体１２０を軸受１９を介してギアヘッド１０に取付け、ギアヘッド１０の出力軸１６の回転に同期して除雪回転体１２０を回転するようになっている。このように、除雪回転体１２０は、実施の形態１の送風ファン２０と同様、ギアヘッド１０の出力軸１６に同軸状に固着され、回転軸を中心として、出力軸１６の回転と同期して回転するものである一方、複数の羽根１２２を下側に向けて配設した遠心ファン状をなし、当該複数の羽根１２２の回転により除雪自在な回転体である。
【００２８】
ケーシング１３０は、スクロールケーシングを上下に２分割した上側部分と同様の構成を有するものであり。実施の形態１の上側ケーシング３０と同様の構成を有する。具体的には、ケーシング１３０は、円盤状の上壁１３１の中心部に大径の円形をなす大開口１３１ａを形成している。また、上壁１３１の外周縁の全長に連続して周壁１３２が垂下するよう一体形成されている。更に、上壁１３１の大開口１３１ａの周縁には、短円筒状の内側立上部１３４が垂立して一体形成されると共に、上壁１３１の放射方向において内側立上部１３４の所定距離外側には、短円筒状の外側立上部１３５が垂立して一体形成されている。更に、内側立上部１３４と外側立上部１３５との間の上壁１３１の上面部分（リング状部１３１ｂ）には、円周方向に所定間隔で複数のブロック状をなす掛止突部１３６が一体形成されている。各掛止突部１３６には、上壁１３１の大開口１３１ａの円周方向（時計回り方向）にその途中まで（所定角度分）延びるよう、スリット状の掛止溝１３６ａが形成されている。ケーシング１３０の側面には吐出口を形成する半円筒状の吐出筒部１３７が一体形成されている。
【００２９】
ケーシング１３０は、内部に除雪回転体１２０を収容し、除雪回転体１２０の全体（上面側、外周面側）を覆う半スクロールケーシング状の中空体からなり、当該中空体の厚さ方向一側面である上面に前記大開口１３１ａを吸気口として形成している。また、ケーシング１３０は、半円筒状の吐出筒部１３７を有し、当該吐出筒部３７の先端の半円形状または半楕円形状の開口により、当該中空体の側面から突出する除雪排出口としての吐出口ＯＰを形成している。一方、ケーシング１３０は、除雪回転体１２０を内部に取付けて当該除雪回転体１２０の上面側及び外周面側を覆うと共に、下面側の全体を開放して除雪回転１２０体の下側に配設した複数の羽根１２２の全体を下方に露出する除雪用開口とした中空形状の中空体からなる。即ち、ケーシング１３０の下端の周縁は大径の円形の除雪用開口１３１ｃとされている。なお、ケーシング１３０の大開口１３１ａの外周側に位置する上壁１３１のリング状部１３１ｂには、実施の形態１と同様にして、支持体５０が装着自在及び取外し自在とされる。即ち、支持体５０の周壁５２をケーシング１３０のリング状部１３１ｂに装着し、時計回り方向に回転することにより、支持体５０の掛止片５３がケーシング１３０の掛止突部１３６の掛止溝１３６ａ内にスライドして嵌入し、掛止突部１３６により掛止される。これにより、支持体５０がケーシング１３０に対して上下方向への離脱不能に装着されるようになっている。
【００３０】
実施の形態２に係る除雪アタッチメントを使用するには、除雪回転体１２０の羽根１２２を下側に向けた状態で、ケーシング１３０の内部に除雪回転体を収容する。この状態で、除雪回転体１２０の上面側に取付けたギアヘッド１０は、その全体がケーシング３０の大開口１３１ａから露出すると共に、上側ケース部１１の基端部（上端部）が大開口１３１ａの周縁付近に位置するようにする。次に、この状態から、ケーシング１３０のリング状部１３１ｂに支持体５０を装着する。このとき、支持体５０の複数（６個）の小開口５４ａのうちの所望の小開口５４ａから、ギアヘッド１０の上側ケース部１１の基端部を露出及び突出させる。そして、支持体５０に押さえボルト５６を螺入して、その先端（下端）をギアヘッド１０の下側ケース部１５の上面に当接させ、ギアヘッド１０の上側ケース部１１に刈払機の操作杆１の先端部を装着して締結リング１４により固定して、刈払機の駆動軸２をギアヘッド１１の伝導軸１２に駆動連結する。このとき、実施の形態１と同様、ケーシング１３０に帯状弾性体等の固定手段を設け、操作杆１を固定手段によりケーシング１３０に固定することが好ましい。
【００３１】
このようにして刈払機の操作杆１の先端に回転刃（刈刃）の代わりに装着した除雪アタッチメントは、使用者（作業者）が刈払機の操作杆１（及び操作杆１のハンドル）を把持して操作することにより、除雪回転体１２０の回転による除雪作業を行うことができる。このとき、操作杆１の先端に装着した除雪アタッチメントでは、ケーシング１３０が、押さえボルト５６を介して、操作杆１の先端のギアヘッド１０に吊下支持される形となる。即ち、この状態から、刈払機の原動機を駆動して駆動軸２を回転すると、ギアヘッド１０を介して除雪回転体２０が同期回転する。よって、ケーシング１３０下面側の除雪開口１３１ｃを除雪対象となる積雪面に押し当てることにより、除雪開口１３１の全体に露出する除雪回転体１２０の羽根１２２が、その回転によるせん断力等により積雪を書き取るようにして除去し、ケーシング１３０の内部空間を回転移動して、最終的に吐出筒部１３７の吐出口ＯＰから吐出して排出する。
【００３２】
このように、実施の形態２の除雪アタッチメントは、ケーシング１３０及び支持体５０からなる筐体が、実施の形態１と同様にして、ギアヘッド１０をケーシング１３０に対して相対的に位置決めし、ギアヘッド１０とケーシング１３０との相対回転を阻止し、同様の作用効果を発揮する。また、複数の小開口５４ｂの選択による除雪用の吐出口１３７の角度位置の変更が可能となるため、作業場所の障害物等の状況に応じて、操作杆１に対する除雪アタッチメントの吐出口ＯＰの角度位置を任意に複数段階で変更することができ、最適な条件で除雪作業を行うことができる。
【００３３】
ところで、本発明の刈払機アタッチメントは、上記のような送風アタッチメントや除雪アタッチメント以外にも、回転体による作業を行う任意のアタッチメントとして具体化することができる。また、本発明の刈払機アタッチメントにおいて、筐体の小開口は、扇形状とする以外にも、ギアヘッド１０の上側ケース部１１や操作杆１の外形に対応する楕円形状、円形状、多角形状等の孔とする等、任意の形状とすることができる。更に、筐体に取付けた押さえねじによるギアヘッドの支持または当接位置も、ギアヘッドの下側ケース部１５の上面のみならず、その他の部位とすることができる。或いは、回転体を上記実施の形態のようにして筐体に支持する以外にも、任意の支持形態を採用することができる。また、上記実施の形態のケーシングは、合成樹脂の一体成形により形成することができる。更に、支持体５０は、金属材料や合成樹脂材料により形成することができる。また、回転体も、合成樹脂材料等により一体成形することができる。一方、支持体として、図１中に仮想線（二点差線）で示すように、所定数（例えば６本）の帯板状の区画部１５４のみからなりリング部や周壁を省略した多肢状の一体物としての支持体１５０とすることもできる。この場合、支持体１５０の各区画部１５４の先端の矩形板状の屈曲部１５５が、上記実施の形態の掛止片に相当するため、ケーシング３０のリング状部３１ｂに形成する掛止突部３６の数も、区画部１５４及び屈曲部１５５の数と同数（図示の例では６個）として、区画部１５４及び屈曲部１５５の配置間隔と同一間隔で配置する。また、支持体は、ケーシングと別体としてケーシングに着脱自在とする以外に、ケーシングに一体形成して筐体を構成してもよい。この場合、ケーシングを分解組立てしない場合は、ギアヘッドの上側ケース部を予め筐体の所望の小開口から突出させておく必要があるが、ケーシングを分解状態から組み立てて使用する場合は、その際にギアヘッドの上側ケース部を筐体の所望の小開口から突出させる。更に、支持体の区画部間の小開口には、外部からの異物の侵入を防止するため、網状部材を一体的にまたは別体として装着または固着してもよい。特に、実施の形態１のような送風アタッチメントの場合、支持体の小開口に網状部材を装着することが好ましい。また、特に実施の形態１のような構成の場合、支持体は、可撓性を有する素材により形成すれば、押圧ボルトを介して回転体をケーシングとの間で弾性的に支持することができる。更に、実施の形態１の送風ファンとしては遠心ファン状の構成であれば任意の構成とすることができ、羽根の数も適宜の数とすることができる。また、実施の形態２の除雪回転体としても、雪面に押し当てて除雪自在な構成とする限りにおいて、任意の構成のものを使用することができ、羽根により除雪する構成とした場合の当該羽根の数も任意の数とすることができる。しかし、除雪回転体の場合、羽根間のスペースが除雪スペースとして機能し、当該除雪スペースに除去した雪を保持して除雪回転体が回転し、当該除雪スペース内の雪を吐出口ＯＰから排出する構成となる。したがって、除雪回転体は、上記実施の形態２のように、除雪回転体１２０の羽根１２２の数を５枚（送風ファン２０の半分）とする等、送風ファンの場合よりも羽根の数を少なくすることが、除雪スペースを大きくして除雪効率を増大する点から好ましい。ここで、除雪回転体の羽根の数は、４枚以上の少ない数、例えば、４〜８枚の範囲とすることが好ましく、４〜６枚の範囲とすることがより好ましい。
【図面の簡単な説明】
【００３４】
【図１】図１は本発明の実施の形態１に係る刈払機アタッチメントとしての送風アタッチメントの全体を示す斜視図である。
【図２】図２は本発明の実施の形態１に係る送風アタッチメントのケーシングの上部ケース及び支持体を示す分解斜視図である。
【図３】図３は本発明の実施の形態１に係る送風アタッチメントのケーシングの下部ケース並びに回転体及びギアヘッドを示す分解斜視図である。
【図４】図４は本発明の実施の形態１に係る送風アタッチメントを示す平面図である。
【図５】図５は本発明の実施の形態１に係る送風アタッチメントを示す断面図である。
【図６】図６は本発明の実施の形態１に係る送風アタッチメントの上部ケースを取り外してケーシング内部を示す平面図である。
【図７】図７は本発明の実施の形態２に係る刈払機アタッチメントとしての除雪アタッチメントの全体を示す底面図である。
【図８】図８は本発明の実施の形態２に係る除雪アタッチメントを示す断面図である。
【符号の説明】
【００３５】
２：駆動軸、１０：ギアヘッド、１６：出力軸、２０：送風ファン（回転体）
３０：上側ケーシング（筐体）、３１ａ：大開口、４０：下側ケーシング（筐体）
５０：支持体（筐体）、５１ａ：大開口、５４ａ：小開口
５６：押圧ボルト（押圧ねじ）、１２０：除雪回転体、ＯＰ：吐出口
【図１】
2007289040.tif 000003
【図２】
2007289040.tif 000004
【図３】
2007289040.tif 000005
【図４】
2007289040.tif 000006
【図５】
2007289040.tif 000007
【図６】
2007289040.tif 000008
【図７】
2007289040.tif 000009
【図８】
2007289040.tif 000010